(57)【要約】【課題】ケースに収容した複数種類の建設資材が運搬時に混ざらないようにすることができる建設資材運搬用バッグを提供する。【解決手段】建設資材運搬用バッグ１１は、上端が開口した有底箱状のケース１２と、ケース１２に設けられて上記開口を開閉可能な蓋体１３と、ケース１２内を仕切る仕切板１７と、を備える。仕切板１７は、その一端部がケースの底面に連結されるとともに、当該一端部を回動中心としてケース１２内を仕切らない第１位置とケース１２内を仕切る第２位置との間で回動可能に構成されている。【選択図】図３
0003215274.tif 000002
【実用新案登録請求の範囲】
【請求項１】
上端が開口した有底箱状のケースと、
前記ケースに設けられて前記開口を開閉可能な蓋体と、
前記ケース内を仕切る仕切板と、
を備え、
前記仕切板は、その一端部が前記ケースの内面に連結されるとともに、前記一端部を回動中心として前記ケース内を仕切らない第１位置と前記ケース内を仕切る第２位置との間で回動可能に構成されていることを特徴とする建設資材運搬用バッグ。
【請求項２】
前記仕切板は、その一端部が前記ケース内の底面に連結されていることを特徴とする請求項１に記載の建設資材運搬用バッグ。
【請求項３】
前記第２位置にあるときの前記仕切板の高さは、前記ケースの深さと同じであることを特徴とする請求項１または請求項２に記載の建設資材運搬用バッグ。
【考案の詳細な説明】
【技術分野】
【０００１】
本考案は、例えばボルトなどの建設資材を収容して運搬するための建設資材運搬用バッグに関する。
【背景技術】
【０００２】
一般に、この種の建設資材運搬用バッグとしては、上端が開口した有底矩形箱状のケースと、ケースの開口を開閉可能な蓋体とを備えたものが知られている。
【考案の概要】
【考案が解決しようとする課題】
【０００３】
ところで、上述のような建設資材運搬用バッグでは、ケース内に複数種類の建設資材を収容した場合、運搬時に異なる種類の建設資材同士が混ざってしまうという問題がある。
本考案の目的は、ケースに収容した複数種類の建設資材が運搬時に混ざらないようにすることができる建設資材運搬用バッグを提供することにある。
【課題を解決するための手段】
【０００４】
以下、上記課題を解決するための手段及びその作用効果について記載する。
上記課題を解決するための建設資材運搬用バッグは、上端が開口した有底箱状のケースと、前記ケースに設けられて前記開口を開閉可能な蓋体と、前記ケース内を仕切る仕切板と、を備え、前記仕切板は、その一端部が前記ケースの内面に連結されるとともに、前記一端部を回動中心として前記ケース内を仕切らない第１位置と前記ケース内を仕切る第２位置との間で回動可能に構成されていることを要旨とする。
【０００５】
この構成によれば、仕切板を第１位置から第２位置へ回動させることによってケース内を複数の空間に仕切ることができる。このため、ケース内の空間毎に種類の異なる建設資材を収容することで、ケースに収容した複数種類の建設資材が運搬時に混ざらないようにすることができる。
【０００６】
上記建設資材運搬用バッグにおいて、前記仕切板は、その一端部が前記ケース内の底面に連結されていることが好ましい。
この構成によれば、仕切板を重力によって第２位置から第１位置へ回動させることができる。
【０００７】
上記建設資材運搬用バッグにおいて、前記第２位置にあるときの前記仕切板の高さは、前記ケースの深さと同じであることが好ましい。
この構成によれば、ケース内に収容された建設資材が運搬時に仕切板を乗り越えないようにすることができる。
【考案の効果】
【０００８】
本考案によれば、収容した複数種類の建設資材が運搬時に混ざらないようにすることができる。
【図面の簡単な説明】
【０００９】
【図１】一実施形態の建設資材運搬用バッグの斜視図。
【図２】同建設資材運搬用バッグにおいて蓋体を開けたときの状態を示す概略図。
【図３】同建設資材運搬用バッグの断面模式図。
【図４】同建設資材運搬用バッグの蓋体の平面図。
【図５】同建設資材運搬用バッグのケース内に収容した２種類のボルトを仕切板で仕切ったときの状態を示す断面模式図。
【図６】変更例の建設資材運搬用バッグの断面模式図。
【考案を実施するための形態】
【００１０】
以下、建設資材運搬用バッグの一実施形態について図面に従って説明する。
図１及び図２に示すように、建設資材運搬用バッグ１１は、合成樹脂製で防水性を有する織布によって構成され、全体として直方体状をなしている。建設資材運搬用バッグ１１は、上端が開口した有底矩形箱状のケース１２と、ケース１２の上端部に設けられて上記開口を開閉可能な矩形板状の蓋体１３とを備えている。ケース１２の底壁及び蓋体１３は矩形袋状に形成され、ケース１２の底壁及び蓋体１３の内部にはそれぞれ補強用の硬質の矩形状の板材（図示略）が配置されている。
【００１１】
蓋体１３の周縁部のうちの１つの長辺はケース１２の上端の周縁部のうちの１つの長辺に連結され、蓋体１３とケース１２との連結部がヒンジ部１４とされている。蓋体１３の周縁部におけるヒンジ部１４以外の部分と、ケース１２の上端の周縁部におけるヒンジ部１４以外の部分との間は、ファスナ１５によって開閉自在になっている。なお、ケース１２における長手方向の両外側面には、帯状のショルダーベルト１６の両端部がそれぞれ連結されている。
【００１２】
図３に示すように、ケース１２の内面、すなわちケース１２内の底面には、ケース１２内を仕切る矩形状の仕切板１７が設けられている。仕切板１７は、矩形袋状に形成された織布内に硬質の矩形状の板材（図示略）を配置することによって形成され、長手方向の一端部における織布部分がケース１２内の底面に回動自在に縫着（連結）されている。この場合、仕切板１７は、ケース１２内の底面に縫着された長手方向の一端部を回動中心として、ケース１２内を仕切らない第１位置（図３の実線で示す位置）とケース１２内を２つの空間に仕切る第２位置（図３の二点鎖線で示す位置）との間で回動可能に構成されている。
【００１３】
仕切板１７は、第１位置にある場合にケース１２内の底面に沿うように配置され、第２位置にある場合にケース１２内の底面に対してほぼ直角に起立するように配置される。この場合、第２位置にあるときの仕切板１７の高さは、ケース１２の深さと同じになるように設定されている。本実施形態の仕切板１７は、第２位置にある場合にケース１２内の空間を３対７の割合で仕切るように配置されている。
【００１４】
図４に示すように、蓋体１３の外面には、メモなどのシート１８を挿入可能な透明のポケット１９が設けられている。ポケット１９には、例えばケース１２内に収容された建設資材の名称や数が記載されたシート１８が挿入される。
【００１５】
次に、建設資材運搬用バッグ１１の作用について説明する。
さて、建設資材運搬用バッグ１１内に建設資材の一例としての大小２種類のボルト２０，２１を収容する場合には、まず、ファスナ１５を開ける。続いて、蓋体１３を開けた後、仕切板１７を第１位置から第２位置に回動させる。すると、ケース１２内の空間が仕切板１７によって大小２つの空間に仕切られる。続いて、図５に示すように、ケース１２内の大きい方の空間に大きい方のボルト２０を複数収容するとともに、ケース１２内の小さい方の空間に小さい方のボルト２１を複数収容する。これにより、ケース１２内に２種類のボルト２０，２１が互いに混ざらないように収容される。
【００１６】
続いて、蓋体１３を閉じた後、ファスナ１５を閉じる。続いて、作業者がショルダーベルト１６を肩に掛けて建設資材運搬用バッグ１１を例えば高所の作業場へ運搬する。このとき、建設資材運搬用バッグ１１が傾いたり横になったりしたとしても、ボルト２０，２１が仕切板１７を乗り越えることはないので、仕切板１７によるボルト２０，２１の仕切状態が維持される。その後、作業者は、作業場でボルト２０，２１を使用しながら作業を行う。
【００１７】
このとき、ボルト２０，２１同士は、ケース１２内で仕切板１７によって既に分けられて収容されているため、作業者が分ける必要がない。したがって、作業者によってボルト２０，２１同士を分ける手間が省けるので、作業者による作業効率が向上する。なお、建設資材運搬用バッグ１１は、内部に１種類の建設資材のみを収容する場合、仕切板１７が第１位置にある状態で使用される。
【００１８】
以上詳述した実施形態によれば、次のような効果が発揮される。
（１）建設資材運搬用バッグ１１において、仕切板１７は、ケース１２内を仕切らない第１位置とケース１２内を仕切る第２位置との間で回動可能に構成されている。このため、仕切板１７を第１位置から第２位置へ回動させることによってケース１２内を２つの空間に仕切ることができる。したがって、ケース１２内の空間毎に大きさの異なるボルト２０，２１を収容することで、ケース１２に収容した２種類のボルト２０，２１が運搬時に混ざらないようにすることができる。
【００１９】
（２）建設資材運搬用バッグ１１において、仕切板１７は、その一端部がケース１２内の底面に回動可能に連結されている。このため、仕切板１７を重力によって第２位置から第１位置へ容易に回動させることができる。
【００２０】
（３）建設資材運搬用バッグ１１において、第２位置にあるときの仕切板１７の高さは、ケース１２の深さと同じになっている。このため、ケース１２内に収容されたボルト２０，２１が運搬時に仕切板１７を乗り越えないようにすることができる。
【００２１】
（４）蓋体１３の外面には、メモなどのシート１８を挿入可能な透明のポケット１９が設けられている。この構成によれば、ケース１２内に収容された建設資材の名称が記載されたシートをポケットに挿入することで、蓋体１３を開けなくてもケース１２内の中身が分かるようにできる。
【００２２】
（変更例）
なお、上記実施形態は次のように変更してもよい。
・建設資材運搬用バッグ１１において、第２位置にあるときの仕切板１７の高さは、必ずしもケース１２の深さと同じにする必要はない。例えば、第２位置にあるときの仕切板１７の高さをケース１２の深さよりも低くしてもよい。
【００２３】
・建設資材運搬用バッグ１１において、仕切板１７は、その一端部がケース１２の内側面（内面）に回動可能に連結されていてもよい。
・建設資材運搬用バッグ１１において、仕切板１７を第２位置でロックするロック機構を設けるようにしてもよい。
【００２４】
・建設資材運搬用バッグ１１において、ポケット１９には、作業に関する指示や注意事項などを書いたシート１８を挿入するようにしてもよい。
・建設資材運搬用バッグ１１に収容される建設資材は、ボルト２０，２１に限らずナットや釘などであってもよい。
【００２５】
・図６に示すように、建設資材運搬用バッグ１１において、ケース１２内に仕切板１７を２つ設けるようにしてもよい。あるいは、ケース１２内に仕切板１７を３つ以上設けるようにしてもよい。
【符号の説明】
【００２６】
１１…建設資材運搬用バッグ、１２…ケース、１３…蓋体、１４…ヒンジ部、１５…ファスナ、１６…ショルダーベルト、１７…仕切板、１８…シート、１９…ポケット、２０，２１…ボルト。
【図１】
0003215274.tif 000003
【図２】
0003215274.tif 000004
【図３】
0003215274.tif 000005
【図４】
0003215274.tif 000006
【図５】
0003215274.tif 000007
【図６】
0003215274.tif 000008